(57)【要約】【課題】  通信相手装置と自装置との間の電話回線の伝送特性に適合する回線パラメータを、各通信相手装置について自動的に設定でき、通信相手装置によらず確実な通信を行うことができる通信装置を提供すること。【解決手段】  回線パラメータ設定手段による通信相手装置に対応した回線パラメータ設定で行った当該通信相手装置との通信において通信エラーが発生した場合に、当該通信相手装置に相手装置別回線パラメータ設定記憶手段において対応する回線パラメータ設定情報の設定内容を変更する通信相手別回線パラメータ設定変更手段を備えたことを特徴とする。【選択図】    図２
2006050050.tif 000002
【特許請求の範囲】
【請求項１】
通信相手装置との間の通信開始に先立って、通信時回線パラメータ設定情報に基づいて送出するモデム信号の特性を設定した上で、前記通信相手装置と電話回線を介したモデム信号のやりとりにより通信を行う通信装置において、
各相手装置識別情報のそれぞれについて回線パラメータ設定情報を対応付けて記憶した相手装置別回線パラメータ設定記憶手段と、
指定された通信相手装置に発呼して通信を開始するのに先立って、当該通信相手装置に対応して前記相手装置別回線パラメータ設定記憶手段に記憶されている回線パラメータ設定情報を前記通信時回線パラメータ設定情報として設定する回線パラメータ設定手段と、
前記回線パラメータ設定手段による前記通信相手装置に対応した回線パラメータ設定で行った当該通信相手装置との通信において通信エラーが発生した場合に、当該通信相手装置に前記相手装置別回線パラメータ設定記憶手段において対応する回線パラメータ設定情報の設定内容を変更する通信相手別回線パラメータ設定変更手段と
を備えたことを特徴とする通信装置。
【請求項２】
前記通信相手別回線パラメータ設定変更手段は、前記相手装置別回線パラメータ設定記憶手段において各相手装置識別情報に対応した前記回線パラメータ設定情報を構成する複数種別の回線パラメータのそれぞれに予め順位を設定しておき、各相手装置に関して通信エラーが発生するごと対応する回線パラメータ設定情報を構成する各種別の回線パラメータを順番に１つずつ設定変更するものであることを特徴とする請求項１に記載の通信装置。
【請求項３】
前記通信相手別回線パラメータ設定変更手段は、前記相手装置別回線パラメータ設定記憶手段において各相手装置のそれぞれについて、各相手装置との通信において通信エラーとなった累計回数を計数すると共に、各相手装置との通信で通信エラーが発生した場合において対応する累計の通信エラー回数が所定のしきい回数に達して初めて対応する回線パラメータ設定情報を設定変更するものであることを特徴とする請求項１または２のいずれかに記載の通信装置。
【請求項４】
前記通信相手別回線パラメータ設定変更手段は、前記回線パラメータ設定手段による前記通信相手装置に対応した回線パラメータ設定で行った当該通信相手装置との通信においてモデム速度のシフトダウンが発生した場合をも、通信エラーが発生した場合として含めることを特徴とする請求項１、２または３のいずれかに記載の通信装置。
【発明の詳細な説明】
【技術分野】
【０００１】
本発明は、ファクシミリ装置、パーソナルコンピュータ等の情報処理装置とモデムとの組み合わせにより実現される通信端末装置、複合機等の、電話回線を介して通信を行う各種通信装置として適用可能な通信装置に関し、特に、通信相手装置との間の通信開始に先立って、通信時回線パラメータ設定情報に基づいて送出するモデム信号の特性を設定した上で、前記通信相手装置と電話回線を介したモデム信号のやりとりにより通信を行う通信装置に関する。
【背景技術】
【０００２】
電話回線を介したモデム信号のやりとりのより相手装置との間で通信を行う、ファクシミリ装置等の通信装置においては、自装置のモデムから電話回線を介して送出される信号が、相手装置側で正しく認識されるように、当該モデムからのモデム信号の特性を、各通信装置の設置環境に合わせて最適に設定する必要がある。つまり、相手装置との間の実際の通信時に送出するモデム信号特性の設定に反映される回線パラメータを予め最適に設定しておく必要がある。
【０００３】
そのため、通信装置の設置時や設置場所の変更時に、サービスパーソン等による設定操作により、モデムからの送出信号のレベルである「送出レベル」を最適なレベルに設定したり、相手装置との間の電話回線長のうちのアナログ部分の長さに応じた送出信号の減衰や歪みを見越して送出段階で補正する「ケーブルイコライザ」を最適な特性に設定したりしている。
【０００４】
しかし、通信装置の通信相手となる装置は無数に存在し、各通信相手装置と自装置との間の電話回線の伝送特性を予め把握することは困難なため、従来は、例えば通信装置のメーカのサービスセンター側の特定の通信装置との通信が成功するように、送出レベルやケーブルイコライザなどの回線パラメータをある程度妥当な設定にするというように、通信相手先によらず装置全体として固定の設定としていた。
【０００５】
そのため、各通信相手装置と自装置との間の電話回線の伝送特性の全てについて、自装置の回線パラメータの設定が最適であるとは限らないということになり、自装置と通信を行う相手装置の中には、自装置における回線パラメータの設定と、当該通信相手装置との間の電話回線の伝送特性とが適合せずに、通信エラーが発生してしまって正常な通信が行えない場合があるという問題点があった。
【０００６】
本願発明に関連する従来技術としては、特許文献１、特許文献２、特許文献３等を挙げることができる。
【０００７】
特許文献１は、自動発呼の電話番号を変更するものである。特許文献２も、自動発呼の電話番号を変更するものである。特許文献３は、モデムトーンを検出してパラメータを設定するものである。
【特許文献１】特開２００２−１７６５４６号公報
【特許文献２】特開平０５−０９１２０６号公報
【特許文献３】特開平１０−２５７１６２号公報
【発明の開示】
【発明が解決しようとする課題】
【０００８】
しかし、特許文献１は、自動発呼の電話番号を変更するものであり、通信相手装置に応じた回線パラメータの変更に関するものではない。
【０００９】
また、特許文献２も、自動発呼の電話番号を変更するものであり、通信相手装置に応じた回線パラメータの変更に関するものではない。
【００１０】
特許文献３は、ビジートーンを検出してパラメータを設定することで国や地域ごとに異なる回線特性に対応しようというものであり、各通信相手装置に最適な回線パラメータを自動的に設定して通信相手によらず最適な条件で通信を行えるようにするものではない。
【００１１】
本発明は係る事情に鑑みてなされたものであり、通信相手装置と自装置との間の電話回線の伝送特性に適合する回線パラメータを、各通信相手装置について自動的に設定でき、通信相手装置によらず確実な通信を行うことができる通信装置を提供することを目的とする。
【課題を解決するための手段】
【００１２】
請求項１に記載の通信装置は、通信相手装置との間の通信開始に先立って、通信時回線パラメータ設定情報に基づいて送出するモデム信号の特性を設定した上で、前記通信相手装置と電話回線を介したモデム信号のやりとりにより通信を行う通信装置において、各相手装置識別情報のそれぞれについて回線パラメータ設定情報を対応付けて記憶した相手装置別回線パラメータ設定記憶手段と、指定された通信相手装置に発呼して通信を開始するのに先立って、当該通信相手装置に対応して前記相手装置別回線パラメータ設定記憶手段に記憶されている回線パラメータ設定情報を前記通信時回線パラメータ設定情報として設定する回線パラメータ設定手段と、前記回線パラメータ設定手段による前記通信相手装置に対応した回線パラメータ設定で行った当該通信相手装置との通信において通信エラーが発生した場合に、当該通信相手装置に前記相手装置別回線パラメータ設定記憶手段において対応する回線パラメータ設定情報の設定内容を変更する通信相手別回線パラメータ設定変更手段とを備えたことを特徴とする。
【００１３】
請求項２に記載の通信装置は、請求項１に記載の通信装置において、前記通信相手別回線パラメータ設定変更手段は、前記相手装置別回線パラメータ設定記憶手段において各相手装置識別情報に対応した前記回線パラメータ設定情報を構成する複数種別の回線パラメータのそれぞれに予め順位を設定しておき、各相手装置に関して通信エラーが発生するごと対応する回線パラメータ設定情報を構成する各種別の回線パラメータを順番に１つずつ設定変更するものであることを特徴とする。
【００１４】
請求項３に記載の通信装置は、請求項１または２のいずれかに記載の通信装置において、前記通信相手別回線パラメータ設定変更手段は、前記相手装置別回線パラメータ設定記憶手段において各相手装置のそれぞれについて、各相手装置との通信において通信エラーとなった累計回数を計数すると共に、各相手装置との通信で通信エラーが発生した場合において対応する累計の通信エラー回数が所定のしきい回数に達して初めて対応する回線パラメータ設定情報を設定変更するものであることを特徴とする。
【００１５】
請求項４に記載の通信装置は、請求項１、２または３のいずれかに記載の通信装置において、前記通信相手別回線パラメータ設定変更手段は、前記回線パラメータ設定手段による前記通信相手装置に対応した回線パラメータ設定で行った当該通信相手装置との通信においてモデム速度のシフトダウンが発生した場合をも、通信エラーが発生した場合として含めることを特徴とする。
【発明の効果】
【００１６】
請求項１に係る発明によれば、特定の相手装置との通信において通信エラーが発生した場合、当該特定の相手装置との次回の通信においては、通信エラーが発生したときとは異なる回線パラメータの設定で通信が行われることになるため、当該特定の相手装置について、通信エラーが発生すると分かっている回線パラメータの設定で繰り返し通信が行われ、通信エラーが発生する状況が一向に改善されない事態に陥ることを避けることができ、通信エラーとなった相手装置であっても、当該相手装置について遅かれ早かれ最適な回線パラメータが自動的に設定されて正常な通信を行うことが可能となる効果が得られる。
【００１７】
請求項２に係る発明によれば、回線パラメータ設定情報を構成する各種別の回線パラメータを通信エラーが発生する度に一括して設定変更するのではなく、順位を付けて順番に１つずつ設定変更するようにしているため、通信エラーの発生した回線パラメータの設定から少しずつ設定を変えていって、最適な通信パラメータの設定に確実に到達することが可能となる効果が得られる。
【００１８】
請求項３に係る発明によれば、回線パラメータの設定が適正でも、外来ノイズのような、相手装置との間の電話回線の伝送特性のような恒久的な要因とは異なる突発的な要因で通信エラーが発生することがあることに鑑みて、特定の相手装置について所定のしきい回数の通信エラーが連続しないと、当該特定の相手装置についての回線パラメータ設定情報の設定変更が行われないため、せっかく適正に設定されてるい回線パラメータ設定情報を不必要に設定変更して通信エラーが起きる状況をつくってしまうことがなくなるという効果が得られる。
【００１９】
請求項４に係る発明によれば、相手装置との間の電話回線の伝送特性に最適な回線パラメータが設定されていないために当該相手装置と全く通信できない状態である通信エラーとはならないが、自装置が備えるモデム速度能力と、相手装置が備えるモデム速度能力との範囲内で最大に設定されたモデム速度での通信が不調で相手装置とのやりとりにより、通信中に一段低いモデム速度に設定変更された場合をも、通信エラーとして扱い、当該特定の相手装置に対応する回線パラメータ設定情報を設定変更するようにしているため、相手装置と自装置との間で可能な最大のモデム速度での通信が可能になるように回線パラメータが自動的に設定変更されて相手装置と可能な限り高速な通信が可能となる効果が得られる。
【発明を実施するための最良の形態】
【００２０】
以下、添付図面を参照しながら、本発明を実施するための最良の形態について説明する。
【００２１】
図１に、本発明を実施するための最良の形態に係る通信装置としてのファクシミリ装置１を含む通信システム構成について示す。
【００２２】
同図において、ファクシミリ装置１は、電話網２００に接続され、電話網２００上のＧ３ファクシミリであるファクシミリ装置２０１などの相手装置との間で通信を行い、文書データを送信する。その場合、ファクシミリ装置１と、通信相手のファクシミリ装置２０１と間の伝送経路の伝送特性の実際の状況に応じて、最適な回線パラメータが異なる。具体的には、最適な送出レベルや、最適なケーブルイコライザの特性が異なる。
【００２３】
本発明を実施するための最良の形態は、通信相手装置との間の実際の通信において、各通信相手装置ごとに異なる最適な回線パラメータを設定して確実な通信を行えるようにしようとするものである。
【００２４】
図２に、ファクシミリ装置１のブロック構成について示す図である。
【００２５】
同図において、ＣＰＵ２は、ＲＡＭ４を作業領域として使用しつつ、ＲＯＭ３に書き込まれた制御プログラムに基づいて装置各部を制御したり、各種データ処理をしたり、プロトコル制御を行う中央演算処理装置である。
【００２６】
ＲＯＭ３は、ＣＰＵ２が装置各部を制御するための制御プログラムや、各文字コードに対応するフォントデータなどの制御に必要な各種データが記憶されるリードオンリメモリである。
【００２７】
ＲＡＭ４は、前述したようにＣＰＵ２の作業領域として使用されるランダムアクセスメモリである。
【００２８】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００２９】
時計回路６は、現在の日付及び時刻を常に計時しているもので、ＣＰＵ２は、システムバス１４を介して時計回路６を読み出すことで、現在の日時（日付と時刻）を知ることができる。
【００３０】
操作表示部７は、ユーザからの操作入力を受け入れるための各種キーが配設される一方、液晶表示装置等の表示器を備え、ユーザに知らせるべき装置の動作状態や、各種メッセージを表示するものである。
【００３１】
読取部８は、セットされた原稿を読み取って文書画像データを得るためのものである。
【００３２】
書込部９は、文書画像データを記録紙に印刷出力するためのものである。
【００３３】
画像処理部１０は、生の文書画像データの符号化圧縮、及び、符号化された圧縮データの復号伸張の符号化復号化処理や、２値化処理、変倍処理、縮小拡大処理、画像補正処理、送信日時や受信日時の文字列情報などの付加情報の付加処理などの、ファクシミリ装置１において扱う画像データに関する各種画像処理を行う。
【００３４】
通信制御部１１は、モデム１２及び網制御部１３を制御して電話網２００を介した通信を制御するものである。
【００３５】
モデム１２は、
ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。そして、モデム１２は、網制御部１３を介して電話網２００と接続され通信相手装置に対して、Ｇ３ファクシミリプロトコルに基づく発呼トーンＣＮＧ、ディジタル送信命令信号ＤＣＳ、トレーニングチェック信号ＴＣＦ等のモデム信号を送信する一方、被呼局識別信号ＣＥＤ、ディジタル識別信号ＤＩＳ、受信準備確認信号ＣＦＲなどのモデム信号を通信相手装置から受信する。
【００３６】
通信制御部１１は、回線の閉結や、呼び出し信号（リンギング）の検出などを行う網制御部１３を制御し、網制御部１３にて検出されたリンギング電圧のパルスの検出や、ＤＴＭＦ信号の検出、トーン信号の検出、送信時の発呼を制御する。また、通信制御部１１は、通信相手装置との通信開始に先立ち、必要な回線パラメータ、具体的には、送出信号の信号レベルである送出レベル、及び、通信相手装置との間の伝送経路における送出信号の減衰や歪みを見越して送出段階で補正する回路であるケーブルイコライザの特性をモデム１２に設定する。
【００３７】
システムバス１４は、上記各部がデータをやり取りするためのデータバス・アドレスバス・制御バス、割り込み信号ラインなどにより構成される信号ラインである。
【００３８】
図３に、ファクシミリ装置１が備える操作表示部７の配置構成について示す。
【００３９】
同図において、テンキー７ａは、数字や「＃」「＊」の各記号を入力するためのものである。［Ｙｅｓ］キー７ｂは、表示器７ｉに表示された内容に対して肯定的な操作入力を行ためのものである。［Ｎｏ］キー７ｃは、表示器７ｉに表示された内容に対して否定的な操作入力を行うためのものである。
【００４０】
［ストップ］キー７ｄは、装置動作の強制的な中断を指示したりするためのものである。［スタート］キー７ｅは、送信開始などの各種装置動作の開始を指示するためのものである。［ファンクション］キー７ｆは、その押下操作と、テンキー７ａによる番号入力操作との組み合わせにより、各種設定・登録機能を呼び出したりするためのものである。
【００４１】
矢印キー群７ｇは、［↑］キー７ｇｕ、［↓］キー７ｇｄ、［→］キー７ｇｒ、及び、［←］キー７ｇｌにより構成され、表示器７ｉに表示され選択項目のうちの特定項目を選択したり、表示器７ｉの表示を上下左右にスクロールさせたりするためのものである。
【００４２】
［短縮］キー７ｈは、そのキーの押下とテンキー７ｂにより短縮番号の入力との組み合わせ操作があると対応して予め登録されたファクス番号を相手装置識別情報として特定する、短縮ダイヤル機能のためのキーである。
表示器７ｉは液晶表示器などにより構成され、装置の動作状態や各種メッセージを表示するためのものである。
【００４３】
なお、操作表示部７に配設される各種キーは、押下によりＯＮまたはＯＦＦされる機械的なキーに限らず、タッチパネルキーなどのその他の形態のものであってもよく、要するにユーザによる操作入力を受け入れられるものであればどのような形態であってもよい。
【００４４】
図４に、ファクシミリ装置１のＥＥＰＲＯＭ５の記憶内容について示す。
【００４５】
同図において、ＥＥＰＲＯＭ５の記憶領域５ａ、５ｂ、５ｃ及び５ｄのそれぞれには、「システム設定回線パラメータ設定情報」、「通信相手別回線パラメータ設定テーブル」、「通信エラーしきい回数Ｅth」、及び、「設定変更順位」が予め設定・記憶されている。それらの設定は、予めのサービスパーソン等による設定操作により、ファクシミリ装置１の実際の設置状況やユーザの要望に対応して設定されるものである。
【００４６】
記憶領域５ａの「システム設定回線パラメータ設定情報」は、多数の回線パラメータのうちの通信相手装置（との間の伝送経路）に応じて最適に設定されるべき回線パラメータである、「送出レベル」と「ケーブルイコライザ」の各回線パラメータの、ファクシミリ装置１全体としての基本設定を示すものである。「送出レベル」は、通信相手装置に対して送出するモデム信号のレベルを設定するための設定値であり、−１５ｄＢ（値０）、−８ｄＢ（値１）、または、０ｄＢ（値０）のうちのいずれかに設定が可能であり、図においては、０ｄＢ（値０）が設定されている。「ケーブルイコライザ」は、通信相手装置に対して送出するモデム信号の伝送経路長に応じた減衰や歪みを補正する回路であるケーブルイコライザにおける補正量を設定するための設定値であり、０ｋｍ（値０）、１．８ｋｍ（値１）、３．６ｋｍ（値２）、または、７．２ｋｍ（値３）のうちのいずれかの距離に相当する減衰や歪みを補正する設定が可能であり、図においては、０ｋｍ（値０）が設定されている。
【００４７】
記憶領域５ｂの通信相手別回線パラメータ設定テーブルは、具体的には、図５に示す内容である。なお、テーブル５ｂは、相手装置別回線パラメータ設定記憶手段に相当するものである。
【００４８】
図５において、テーブル５ｂは、各「管理番号」に対応した、「相手装置識別情報（ファクス番号）」、「回線パラメータ設定情報」、「通信エラー累計回数Ｃerror」、及び、「前回設定変更順位Ｒprev」の各フィールドにより構成されている。
【００４９】
「相手装置識別情報（ファクス番号）」は、ファクシミリ装置１の通信相手となり得る相手先ファクシミリ装置を識別するための情報であり、具体的には、相手装置の電話網２００におけるアドレスであるファクス番号である。
【００５０】
「回線パラメータ設定情報」は、図４の記憶領域５ａの「システム設定回線パラメータ設定情報」と同一定義のものであり、「送出レベル」及び「ケーブルイコライザ」の各種別の回線パラメータについての設定により構成され、それぞれのパラメータが、相手装置識別情報毎に設定・記憶されている。
【００５１】
「通信エラー累計回数Ｃerror」は、対応する相手装置識別時情報により特定される相手装置との通信において発生した、当該相手装置と全くやりとりできなくなる状態となる通信エラーの累計回数をカウントするためのもので、その初期値は０である。なお、相手装置との通信中にシフトダウンした場合、つまり、相手装置と自装置との能力の範囲内で最大に設定したモデム速度での相手装置のモデムトレーニングのやりとりで失敗したり、いったん成功してもその後の通信中にエラーが発生するようになって相手装置とのやりとりにより通信速度を一段下げての通信が行われたような場合も、計数対象の通信エラーとして含める。
【００５２】
「前回設定変更順位Ｒprev」は、対応する相手の装置との通信に関して前回行われた、後述する図９の通信相手別回線パラメータ変更処理において行われた、「送出レベル」または「ケーブルイコライザ」に対応する設定変更順位を示すものである。ここでは、順位「１」は「ケーブルイコライザ」に割り当てられ、順位「２」は「送出レベル」に割り当てられている。
【００５３】
図６に、ファクシミリ装置１のＲＡＭ４の記憶内容について示す。
【００５４】
同図において、記憶領域４ａには、通信時回線パラメータ設定情報が記憶される。その通信時回線パラメータ設定情報は、通信時に実際に設定さる回線パラメータを記憶するものであり、後述する図７の送信処理手順の処理Ｓ１０７や処理Ｓ１０８により設定され、処理Ｓ１０９において参照される情報である。
【００５５】
つまり、本発明では、回線パラメータの設定はファクシミリ装置１全体として固定されるのではなく、図４の記憶領域４ａのシステム設定回線パラメータ設定情報または図５のテーブル５ｂに各相手装置に対応して設定された回線パラメータ設定情報を参照して必要に応じて書き替えられた回線パラメータ設定情報が設定された上で相手装置との間の通信が行われる。
【００５６】
以上の構成で、本発明に係るファクシミリ装置１は、図７及び図８に示す送信処理を行う。なお、その送信処理は回線パラメータ設定手段として手順を含む。
【００５７】
つまり、先ず図７において、ＣＰＵ２は、読取部７に原稿がセットされるのを待つ（判断Ｓ１０１のＮｏのループ）。そして、原稿がセットされると（判断Ｓ１０１のＹｅｓ）、操作表示部７を介した、テンキー７ａにより直接ダイヤル、または、［短縮］キー７ｈとテンキー７ａによる短縮番号入力による短縮ダイヤルにより、送信宛先の入力・指定を受ける処理を行い（処理Ｓ１０２）、送信開始を指示する［スタート］キー７ｅが押下されるのを待つ（判断Ｓ１０３のＮｏのループ）。
【００５８】
［スタート］キー７ｂが押下されると、判断Ｓ１０１でセットされた原稿を読み取りエラ文書画像データをＲＡＭ４の未処理文書画像データ記憶用の領域に蓄積する。そして、処理Ｓ１０２で入力・指定された宛先のファクス番号、つまり、図５のテーブル５ｂにおける「相手装置識別情報」を、そのテーブル５ｂの「相手装置識別情報」のフィールドと照合し、一致する「相手装置識別情報」があるか、つまり、処理Ｓ１０２で入力・指定された宛先が、テーブル５ｂに登録された宛先であるかを判断する（判断Ｓ１０６）。
【００５９】
判断Ｓ１０６において、登録された宛先である場合には（判断Ｓ１０６のＹｅｓ）、テーブル５ｂにおいて対応して設定されている回線パラメータ設定情報を、図６の記憶領域４ａの通信時回線パラメータ設定情報として設定した上で（処理Ｓ１０８）、処理Ｓ１０９に移行する。
【００６０】
判断Ｓ１０６において、登録された宛先でない場合には（判断Ｓ１０６のＮｏ）、図４の記憶領域５ａに設定されている「システム設定回線パラメータ設定情報」を、図６の記憶領域４ａの通信時回線パラメータ設定情報として設定した上で（処理Ｓ１０７）、処理Ｓ１０９に移行する。処理Ｓ１０７により、未登録の宛先（相手装置）については、システム設定の回線パラメータ設定情報を適用することで、テーブル５ｂに未登録の宛先（相手装置）についても、当該相手装置との間の伝送線路にとって最適ではないかも知れないが、ある程度妥当な設定となっているシステム設定回線パラメータ設定情報に基づく回線パラメータの設定により、相手装置との通信を行うことができる。
【００６１】
処理Ｓ１０９では、図６の記憶領域４ａの通信時回線パラメータ設定情報に基づいて、通信制御部１１に指示することにより、モデム１２の送出レベル及びケーブルイコライザの特性を設定する。処理Ｓ１０９の後は、図８の処理Ｓ１１０に移行する。
【００６２】
処理Ｓ１０９における設定により、処理Ｓ１０２により通信相手として指定された相手装置との間の伝送線路の特性に最適、または、最適と見なした回線パラメータが、通信相手装置との通信の開始に先だって、設定されることになる。
【００６３】
図８において、先ず、図７の処理Ｓ１０２において入力・指定された宛先に電話網２００を介して発呼し、電話網２００による回線交換により接続され、相互の伝送経路が接続されて相手装置との間で、図７の処理Ｓ１０７で読み取った文書画像データの送信のための、Ｇ３ファクシミリプロトコルに基づいた通信処理を行う（処理Ｓ１１１）。その通信処理は、回線パラメータの設定が適切で、外来ノイズ等影響もなければ、正常に終了するはずのものであるが、回線パラメータの設定が相手装置との間の伝送線路については不適切であったり、回線パラメータの設定が適切でも外来ノイズの影響があったりした場合には、通信エラーが発生する場合もある。
【００６４】
そこで、判断Ｓ１１２において、処理Ｓ１１１の通信処理において、通信相手装置とのやりとりが行えなくなる真の通信エラーが発生したか否かを判断する。通信エラーが発生した場合には（判断Ｓ１１２のＹｅｓ）、判断Ｓ１１４に移行する。
【００６５】
判断Ｓ１１２において、真の通信エラーは発生しなかった場合には（判断Ｓ１１２のＮｏ）、  広義の通信エラーといえるモデム速度のシフトダウンが、処理Ｓ１１１の通信処理において発生したかを判断する（判断Ｓ１１３）。
【００６６】
判断Ｓ１１３において、シフトダウンも発生しなかった場合には（判断Ｓ１１３のＮｏ）、図５のテーブル５ｂにおいて、図７の処理Ｓ１０２で入力・指定された宛先（相手装置）に対応する通信エラー累計回数Ｃerrorを０にリセットして（処理Ｓ１１７）、処理Ｓを終了する。なお、図７の判断Ｓ１０６がＮｏの場合、つまり、テーブル５ｂに未登録の相手装置であって、システム設定の回線パラメータ設定で正常な通信を行えた相手装置については、処理Ｓ１１７は当然省略される。
【００６７】
判断Ｓ１１２において（真の）通信エラーが発生した場合（判断Ｓ１１２のＹｅｓ）、または、判断Ｓ１１３において、広義の通信エラーであるシフトダウンが発生した場合には（判断Ｓ１１３のＹｅｓ）、図７の処理Ｓ１０２で入力・指定された宛先（相手装置）が、図５のテーブル５ｂに登録された宛先でるかを判断し（判断Ｓ１１４）、登録された宛先である場合には、当該登録された宛先（相手装置）について、通信相手別回線パラメータ変更処理を行った上で（処理Ｓ１１６）、処理を終了する。
【００６８】
判断Ｓ１１４において、登録されていない宛先である場合、つまり、図７の処理Ｓ１０２で入力・指定された宛先（相手装置）との間で、システム設定の回線パラメータで通信を行ったが通信エラーとなってしまった場合には、当該通信相手装置について入力・指定されたファクシミリ番号（相手装置識別情報）と、図４の記憶領域５ａのシステム設定回線パラメータ設定情報とを対応付けて、図５のテーブル５ｂの空いている「管理番号」に対応付けて新規登録する（処理Ｓ１１５）。
【００６９】
これにより、テーブル５ｂに予めの操作入力により登録されていない相手装置であっても、システム設定の回線パラメータでは通信エラーが発生する相手装置であれば、自動的に処理Ｓ１１６の通信相手別回線パラメータ変更処理１１６の対象とされて、最適な回線パラメータが設定されるように処理されるため、ユーザにとっては、印刷出力された送信結果レポートなどを参照して通信エラーが発生したことを知り、いちいち手動の登録操作により、テーブル５ｂへ登録する手間が省ける。
【００７０】
なお、処理Ｓ１１５を行うか否かを、ユーザの所望するところに応じて予め設定できるようにしておき、勝手な登録を望まないユーザと、自動の登録を望むユーザとに柔軟に対応できるようにしてもよい。
【００７１】
処理Ｓ１１６の通信相手別回線パラメータ変更処理は、具体的には、図９に示す処理手順である。なお、図９の処理手順は通信相手別回線パラメータ設定変更手段に相当するものである。
【００７２】
図９において、まず、図７の処理Ｓ１０２により入力・指定された相手装置（識別情報）に図５のテーブル５ｂにおいて対応する通信エラー累計回数Ｃerrorをインクリメント（＋１する）（処理Ｓ２０１）。
【００７３】
そして、Ｃerrorが図４の記憶領域５ｃに設定されている通信エラーしきい回数Ｅthに達したかを判断し（判断Ｓ２０２）、まだ達していない場合には（判断Ｓ２０２のＮｏ）、処理を終了する。
【００７４】
達した場合には（判断Ｓ２０２のＹｅｓ）、まず、Ｃerrorを０にリセットした上で、図５のテーブル５ｂにおいて対応する「前回設定変更順位Ｒprev」をインクリメント（＋１）する（処理Ｓ２０４）。ただしその場合の「インクリメント」とは、値１なら＋１で値２に、値２なら値３はなのでの値１に戻る処理である。
【００７５】
そして、設定変更順位Ｒprevの回線パラメータ（送出レベルまたはケーブルイコライザ）の設定を「インクリメント」する（処理Ｓ２０５）。その場合の「インクリメントむとは、設定変更順位Ｒprevの回線パラメータが「送出レベル」であれば、０なら１，１なら２，２なら０に戻るいう処理であり、設定変更順位Ｒprevの回線パラメータが「ケーブルイコライザ」であれば、０なら１，１なら２，２なら３，３なら０に戻るいう処理でありる。その場合、設定変更順位Ｒprevの初期値としては図５に示すように値「２」つまり、「送出レベル」が設定されているため、特定の相手装置において初回に行われる、図９の通信相手別回線パラメータ変更紙よりにおいては、先ず、「ケーブルイコライザ」についての設定変更（インクリメント）が行われ、２回目には「送出レベル」についての設定変更（インクリメント）が行われることになる。
【００７６】
そのように、回線パラメータ設定情報の設定を「送出レベル」及び「ケーブルイコライザ」について同時に設定変更してしまうのではなく、１つずつ設定変更するようにすることで、再発呼または次回の発呼を繰り返しているうちに、相手装置に最適な回線パラメータがいずれ自動的に設定されるようにすることができる。
【００７７】
また、通信エラー累計回数に達しないと、回線パラメータ設定情報の設定変更が行われないため、突発的な外来ノイズに起因する通信エラーに敏感に反応してしまってせっかく最適に設定されていた回線パラメータ設定情報を不適な設定に変更してしまうようなことがなくなり、確実な通信を行うことができる。なお、突発的な外来ノイズに起因する通信エラーが起こりにくい環境にファクシミリ装置１がある場合には、図４の記憶領域５ｃの通信エラーしきい回数Ｅthの値を小さく設定すればよいし、突発的な外来ノイズに起因する通信エラーが起こりやすい環境にファクシミリ装置１がある場合には、図４の記憶領域５ｃの通信エラーしきい回数Ｅthの値を大きめに設定することで対応できる。
【００７８】
なお、以上説明した本発明を実施するための最良の形態においては、回線パラメータの種別として「送出レベル」及び「ケーブルイコライザ」の２つを例に説明したが、本発明はそれに限らず、通信相手装置ごとに異なる当該相手装置との間の伝送線路の特性を補正可能な１または複数の各種回路についてのパラメータ設定に適用できるものである。
【００７９】
また、以上本発明を実施するための最良の形態について説明したが、本発明は上記のものに限定されるものではなく、その要旨を逸脱しない範囲で種々変更可能であることはいうまでもない。
【図面の簡単な説明】
【００８０】
【図１】本発明を実施するための最良の形態に係る通信装置としてのファクシミリ装置を含む通信システム構成について示す図である。
【図２】本発明を実施するための最良の形態に係る通信装置としてのファクシミリ装置のブロック構成について示す図である。
【図３】図２のファクシミリ装置が備える操作表示部の配置構成について示す図である。
【図４】図２のファクシミリ装置のＥＥＰＲＯＭの記憶内容について示す図である。
【図５】通信相手別通信パラメータ設定テーブルの具体的な内容について示す図である。
【図６】図２のファクシミリ装置のＲＡＭの記憶内容について示す図である。
【図７】図２のファクシミリ装置における送信処理手順について示すフローチャートである。
【図８】図７と共に、ファクシミリ装置における送信処理手順について示すフローチャートである。
【図９】通信相手別回線パラメータ変更処理の具体的な処理手順について示すフローチャートである。
【符号の説明】
【００８１】
１  ファクシミリ装置
２  ＣＰＵ
３  ＲＯＭ
４  ＲＡＭ
５  ＥＥＰＲＯＭ
６  時計回路
７  操作表示部
８  読取部
９  書込部
１０  画像処理部
１１  通信制御部
１２  モデム
１３  網制御部
１４  システムバス
２００  電話網
２０１  ファクシミリ装置
【図１】
2006050050.tif 000003
【図２】
2006050050.tif 000004
【図３】
2006050050.tif 000005
【図４】
2006050050.tif 000006
【図５】
2006050050.tif 000007
【図６】
2006050050.tif 000008
【図７】
2006050050.tif 000009
【図８】
2006050050.tif 000010
【図９】
2006050050.tif 000011